(57)【要約】【課題】天井内張りの組み付け作業性を改善できるルームランプ取付構造および取り付け方法を提供する。【解決手段】  天井内張り３０に設けられているランプ取付孔３１にランプユニット２０を取り付け、ランプユニット２０の背面に設けられている仮係止部２５により仮係止する。この仮係止の状態では、背面側に突出するランプユニット２０の内蔵物２０ａの突出量が小さくなっているので、ランプユニット２０をルーフパネル１１内側のランプ取付フランジ１２に設けられているランプ用切欠き１２ｂに収めて天井内張り３０をランプ取付フランジ１２等に取り付けても、ランプユニット２０はルーフパネル１１に当接しない。このため、天井内張り３０の組み付け作業を容易に行うことができる。そして、仮係止状態にあるランプユニット２０をさらに押込んで、本係止部２６によりランプユニット２０を天井内張り３０のランプ取付孔３１に本係止する。【選択図】  図１
2005212725.tif 000002
【特許請求の範囲】
【請求項１】
ルーフパネルの内側に所定高さのランプ収納空間を有するとともにランプユニットが嵌め込み可能なランプ用切欠きを有するランプ取付フランジに、天井内張りを介してランプユニットを取り付けるランプユニットの取付構造であって、
前記天井内張りに前記ランプユニットを係止するランプ取付孔を設け、
前記ランプユニットの背面には、当該ランプユニットを前記天井内張りの前記ランプ取付孔に取り付けるための本係止部を設けるとともに、前記本係止部よりも前記ランプユニットから遠い位置に前記ランプユニットを前記天井内張りの前記ランプ取付孔に仮止めする仮係止部を設けたことを特徴とするランプユニットの取付構造。
【請求項２】
前記ランプ取付フランジに前記天井内張りの位置決めを行うための天井内張り位置決め穴を設け、
前記天井内張りに前記ランプ取付フランジに対する位置決めを行う位置決め取付穴を設けるとともに、当該位置決め取付穴と前記天井内張り位置決め穴とを結合する位置決め取付手段を設けたことを特徴とする請求項１に記載したランプユニットの取付構造。
【請求項３】
前記本係止部と前記仮係止部とが同じ係止アームの途中位置および先端位置にそれぞれ設けられていることを特徴とする請求項１または請求項２に記載したランプユニットの取付構造。
【請求項４】
ルーフパネルの内側に所定高さのランプ収納空間を有するとともにランプユニットが嵌め込み可能なランプ用切欠きを有するランプ取付フランジに、天井内張りを介してランプユニットを取り付けるランプユニットの取り付け方法であって、
前記ランプユニットの背面に設けられている仮係止部により当該ランプユニットを前記天井内張りのランプ取付孔に仮係止し、前記ランプユニットが仮係止された前記天井内張りを前記ルーフパネルおよび前記ランプ取付フランジに取り付けた後、前記ランプユニットを本係止部により前記天井内張りに本係止することを特徴とするランプユニットの取り付け方法。
【請求項５】
前記仮係止した後に、前記天井内張りを位置決め取付手段により前記ランプ取付フランジの天井内張り位置決め穴に取り付けて位置決めするとともに前記ルーフパネルおよび前記ランプ取付フランジに取り付けた後、前記ランプユニットを本係止することを特徴とする請求項４に記載したランプユニットの取り付け方法。
【発明の詳細な説明】
【技術分野】
【０００１】
本発明は、例えばマップランプ等のランプユニットを天井に取り付けるランプユニットの取付構造および取り付け方法に関する。
【背景技術】
【０００２】
従来より、ランプ取付構造としてルームランプを天井内張りに取り付けるものが知られている（例えば特許文献１参照）。
図８に示すように、このルームランプ取付構造１００では、ルームランプ１０１は、まず、ルームランプ１０１が天井内張り１０２の開口部１０２ａに遊嵌された状態で、各フック１０１ｆ、１０１ｇにより天井内張り１０２の裏面に係止保持され、仮係止される。そして、ルームランプ１０１の各フック１０１ｆ、１０１ｇがルームランプサポートブラケット１０３の各係止部１０３ｆ、１０３ｇを乗り越えるようにルームランプ１０１を押込んで、各フック１０１ｆ、１０１ｇによって各係止部１０３ｆ、１０３ｇを係止させ、本係止する。この本係止状態では、天井内張り１０２は可撓性部材から構成されており、各フック１０１ｆ、１０１ｇとレンズ１０１ａの端部との間に挟まれて圧縮されているので、この圧縮に対する反発力から、ルームランプ１０１はガタつかずに取り付けられる。
【特許文献１】特開平１１−３４８６５７号公報（図１）
【発明の開示】
【発明が解決しようとする課題】
【０００３】
ところで、前述したルームランプ取付構造１００では、天井内張り１０２が可撓性材料から形成されている。また、一般にルームランプ１０１では内蔵物１０１ｂがあるため、内蔵物１０１ｂとルームランプサポートブラケット１０３との間の隙間はできるだけ小さくするのが望ましい。このため、仮係止状態から本係止状態に移る際にルームランプ１０１を押込んで、ルームランプ１０１の各フック１０１ｆ、１０１ｇがルームランプサポートブラケット１０３の各係止部１０３ｆ、１０３ｇを乗り越えるようにする際に、天井内張り１０２が撓んでルームランプ１０１の内蔵物１０１ｂがルームランプサポートブラケット１０３の内面に衝突してしまうため、組み付けにくいという不都合がある。
【０００４】
本発明は、前述した問題点に鑑みてなされたものであり、その目的は、天井内張りの組み付け作業性を改善できるルームランプ取付構造および取り付け方法を提供することにある。
【課題を解決するための手段】
【０００５】
１）前述した目的を達成するために、本発明にかかるランプユニットの取付構造は、ルーフパネルの内側に所定高さのランプ収納空間を有するとともにランプユニットが嵌め込み可能なランプ用切欠きを有するランプ取付フランジに、天井内張りを介してランプユニットを取り付けるランプユニットの取付構造であって、前記天井内張りに前記ランプユニットを係止するランプ取付孔を設け、前記ランプユニットの背面には、当該ランプユニットを前記天井内張りの前記ランプ取付孔に取り付けるための本係止部を設けるとともに、前記本係止部よりも前記ランプユニットから遠い位置に前記ランプユニットを前記天井内張りの前記ランプ取付孔に仮止めする仮係止部を設けたことを特徴としている。
【０００６】
このように構成されたランプユニットの取付構造においては、天井内張りに設けられているランプ取付孔にランプユニットを取り付け、ランプユニットの背面に設けられている仮係止部により仮係止する。
この仮係止の状態では、天井内張りからループパネル側に突出しているランプユニットの突出量が小さくなっているので、ランプユニットをルーフパネル内側のランプ取付フランジに設けられているランプ用切欠きに収めて天井内張りをランプ取付フランジに取り付けても、ランプユニットはルーフパネルに当接しない。
このため、天井内張りの組み付け作業を容易に行うことができる。そして、仮係止状態にあるランプユニットをさらに押込んで、本係止部によりランプユニットを天井内張りのランプ取付孔に本係止する。
【０００７】
２）また、本発明にかかるランプユニットの取付構造は、前記ランプ取付フランジに前記天井内張りの位置決めを行うための天井内張り位置決め穴を設け、前記天井内張りに前記ランプ取付フランジに対する位置決めを行う位置決め取付穴を設けるとともに、当該位置決め取付穴と前記天井内張り位置決め穴とを結合する位置決め取付手段を設けたことを特徴としている。
【０００８】
このように構成されたランプユニットの取付構造においては、天井内張りに設けられているランプ取付孔にランプユニットを仮係止し、この状態で、位置決め取付手段により天井内張りをランプ取付フランジの天井内張り位置決め穴に取り付けて位置決めする。
そして、仮係止状態にあるランプユニットをさらに押込んで、本係止部によりランプユニットを天井内張りのランプ取付孔に本係止する。
これにより、ランプユニットを所定位置に確実に取り付けることができ、作業性を改善できる。
【０００９】
３）また、本発明にかかるランプユニットの取付構造は、前記本係止部と前記仮係止部とが同じ係止アームの途中位置および先端位置にそれぞれ設けられていることを特徴としている。
【００１０】
このように構成されたランプユニットの取付構造においては、同じクリップの先端位置に仮係止部を設け、途中位置に本係止部を設けてあるので、一つのクリップで仮係止と本係止とを行うことができる。
【００１１】
４）また、本発明にかかるランプユニットの取り付け方法は、ルーフパネルの内側に所定高さのランプ収納空間を有するとともにランプユニットが嵌め込み可能なランプ用切欠きを有するランプ取付フランジに、天井内張りを介してランプユニットを取り付けるランプユニットの取り付け方法であって、前記ランプユニットの背面に設けられている仮係止部により当該ランプユニットを前記天井内張りのランプ取付孔に仮係止し、前記ランプユニットが仮係止された前記天井内張りを前記ルーフパネルおよび前記ランプ取付フランジに取り付けた後、前記ランプユニットを本係止部により前記天井内張りに本係止することを特徴としている。
【００１２】
このように構成されたランプユニットの取り付け方法においては、天井内張りに設けられているランプ取付孔にランプユニットを背面に設けられている仮係止部により仮係止し、天井内張りをルーフパネルおよびランプ取付フランジに取り付ける。
この仮係止の状態では、背面側に突出するランプユニットの内蔵物の突出量が小さくなっているので、ランプユニットをランプ取付フランジに設けられているランプ用切欠きに収めて天井内張りをルーフパネルおよびランプ取付フランジに取り付けても、ランプユニットはルーフパネルに当接しない。
このため、天井内張りの組み付け作業を容易に行うことができる。そして、仮係止状態にあるランプユニットをさらに押込んで、本係止部によりランプユニットを天井内張りのランプ取付孔に本係止する。
【００１３】
５）また、本発明にかかるランプユニットの取り付け方法は、前記仮係止した後に、前記天井内張りを位置決め取付手段により前記ランプ取付フランジの天井内張り位置決め穴に取り付けて位置決めするとともに前記ルーフパネルおよび前記ランプ取付フランジに取り付けた後、前記ランプユニットを本係止することを特徴としている。
【００１４】
このように構成されたランプユニットの取り付け方法においては、ランプユニットを仮係止した天井内張りを位置決め取付手段によりランプ取付フランジに位置決めした後、仮係止状態にあるランプユニットをさらに押込んで、本係止部によりランプユニットを天井内張りのランプ取付孔に本係止する。このため、天井内張りを所定位置に確実に取り付けることができ、天井組み付け作業性を改善できる。
【発明の効果】
【００１５】
本発明のランプユニットの取付構造および取付方法によれば、ランプユニットを天井内張りに仮係止する仮係止部を設け、ランプユニットを仮係止した状態で天井内張りをルーフパネルに組み付けて、その後ランプユニットを本係止にするので、ランプユニットとルーフパネルとの間の干渉を回避して、天井内張りの組み付け作業性を改善できる。
【発明を実施するための最良の形態】
【００１６】
以下、本発明に係る実施形態を図面に基づいて詳細に説明する。図１は本発明のランプユニットの取付構造および取り付け方法に係る第１実施形態であり取り付け前にランプユニットを天井内張りに仮係止した状態を示す断面図、図２はランプユニットを仮係止した天井内張りをルーフパネルに取り付けた状態を示す断面図、図３はランプユニットを天井内張りに本係止した状態を示す断面図、図４はランプユニットの斜視図である。
【００１７】
図１に示すように、本発明の第１実施形態であるランプユニットの取付構造１０Ａは、ルーフパネル１１の内側に所定高さのランプ収納空間１２ａを有するとともにランプユニット２０が嵌め込み可能なランプ用切欠き１２ｂを有するランプ取付フランジ１２に、天井内張り３０を介してランプユニット２０を取り付けるものである。従って、天井内張り３０にはランプユニット２０を取り付けるためのランプ取付孔３１が設けられており、天井内張り３０はルーフパネル１１およびランプ取付フランジ１２に取り付けられる。
【００１８】
図４に示すように、ランプユニット２０は例えばマップランプであり、マップランプハウジング２１の前面２１ａ（図４において下面）にバルブ２２（ここでは２個）を有しており、その前方にマップランプレンズ２３（図１参照）が取り付けられている。
マップランプハウジング２１の背面２１ｂ（図４において上面）には内蔵物２０ａが突出しており、内蔵物２０ａの外側に複数個のマップランプ係止爪２４が設けられている。このマップランプ係止爪２４では、同一の係止アーム２４ａにおいて、マップランプハウジング２１から遠い位置（すなわち先端位置）に仮係止部としての仮係止爪２５を有し、仮係止爪２５よりもマップランプハウジング２１に近い途中位置に本係止部としての本係止爪２６が設けられている。
【００１９】
なお、係止アーム２４ａの先端までの高さは、少なくとも内蔵物２０ａの高さよりも低く設定されており、内蔵物２０ａがルーフパネル１１に当接しないのに係止アーム２４ａのみがルーフパネル１１に当接するような不都合な場合を回避している。
また、本係止爪２６の高さ位置は、本係止した際に、過大なクリアランスを設けることなく、ランプユニット２０の内蔵物２０ａがループパネルに干渉しない高さとする。
【００２０】
図４に示すように、仮係止爪２５はランプユニット２０が天井内張り３０のランプ取付孔３１に対して、落ちない程度に仮係止されていれば良いので、仮係止爪２５の形状は前方に尖った二等辺三角形とできる。
すなわち、仮係止爪２５の上側傾斜面の角度と下側傾斜面の角度を同じ程度とできる。一方、本係止爪２６では、自動車の振動や外力が作用してもランプユニット２０が落下しないように、強固に天井内張り３０のランプ取付孔３１に対して係止する必要がある。このため、本係止爪２６の形状としては、下面が水平で、上面が傾斜した直角三角形とできる。
これにより、装着時には上面の傾斜に沿って係止アーム２４ａが撓んで本係止爪２６を内側へ移動させるので、装着が可能となる。一方、装着後は、水平な下面が天井内張り３０のランプ取付孔３１の上面に係止されるので、脱落を防止できる。
【００２１】
図１に示すように、天井内張り３０のランプ取付孔３１の取り付け方向（図１中左右方向）幅Ｂ１、ランプ取付フランジ１２のランプ用切欠き１２ｂの取り付け方向幅Ｂ２、左右の仮係止爪２５の先端の間隔Ｌ１、左右の本係止爪２６の先端の間隔Ｌ２の関係は、Ｂ２＞Ｌ２＞Ｌ１＞Ｂ１となっている。
これにより、仮係止爪２５および本係止爪２６は、ランプ取付フランジ１２とは干渉することなく、天井内張り３０のランプ取付孔３１により仮係止および本係止される。また、前述した本係止爪２５および仮係止爪２６の形状とあいまって、仮係止爪２５では一応係止されるものの完全には係止されてはいない状態となり、一方、本係止爪２５では完全に係止されるようになっている。
【００２２】
次に、本発明にかかるランプユニットの取り付け方法について説明する。
図１に示すように、天井内張り３０に設けられているランプ取付孔３１にランプユニット２０を取り付け、ランプユニット２０の背面に設けられている仮係止爪２５により仮係止する。
図２に示すように、この仮係止の状態で天井内張り３０をルーフパネル１１およびランプ取付フランジ１２に取り付けるが、この状態では背面側に突出するランプユニット２０の内蔵物２０ａの突出量が小さくなっているので、ランプユニット２０をランプ取付フランジ１２に設けられているランプ用切欠き１２ｂに収めて天井内張り３０を取り付けても、ランプユニット２０の内蔵物２０ａはルーフパネル１１に当接しない。
そして、最後に図３に示すように、仮係止状態にあるランプユニット２０をさらに押込んで、本係止爪２６によりランプユニット２０を天井内張り３０のランプ取付孔３１に本係止する。
【００２３】
以上、前述したランプユニットの取付構造１０Ａによれば、ランプユニット２０を天井内張り３０に仮係止状態として、天井内張り３０をルーフパネル１１に取り付ける際に、ランプユニット２０が天井パネル１１と干渉しないので、天井内張り３０の組み付け作業を容易に行うことができる。
【００２４】
次に、第２実施形態について図面に基づいて詳細に説明する。図５は本発明のランプユニットの取付構造および取り付け方法に係る第２実施形態であり取り付け前にランプユニットを天井内張りに仮係止した状態を示す断面図、図６はランプユニットを仮係止した天井内張りをルーフパネルに位置決めした状態を示す断面図、図７はランプユニットを天井内張りに本係止した状態を示す断面図である。
なお、前述した第１実施形態と共通する部位には同じ符号を付して、重複する説明は省略することとする。
【００２５】
図５に示すように、このランプユニットの取付構造１０Ｂでは、ルーフパネル１１の内側に所定高さのランプ収納空間１２ａを有するとともにランプユニット２０が嵌め込み可能なランプ用切欠き１２ｂを有するランプ取付フランジ１２に、天井内張り３０を介してランプユニット２０を取り付けるものである。
【００２６】
図５に示すように、ランプ取付フランジ１２には、天井内張り３０の位置決めを行うための天井内張り位置決め穴１２ｃが設けられている。
また、天井内張り３０には、天井内張り位置決め穴１２ｃに対応して位置決め取付穴３２が設けられており、天井内張り３０の位置決め取付穴３２を位置決め取付手段としての複数個のクリップ３２で天井内張り位置決め穴１２ｃに取り付けることにより、天井内張り３０の位置決めを行っている。
なお、天井内張り３０のランプ取付孔３１の取り付け方向（図５中左右方向）幅Ｂ１、ランプ取付フランジ１２のランプ用切欠き１２ｂの取り付け方向幅Ｂ２、左右の仮係止爪２５の先端の間隔Ｌ１、左右の本係止爪２６の先端の間隔Ｌ２の関係は、第１実施形態の場合と同様に、Ｂ２＞Ｌ２＞Ｌ１＞Ｂ１となっている。
【００２７】
次に、本発明にかかるランプユニットの取り付け方法について説明する。
図５に示すように、天井内張り３０に設けられているランプ取付孔３１にランプユニット２０を取り付け、ランプユニット２０の背面に設けられている仮係止爪２５により仮係止するとともに、天井内張り３０の位置決め取付穴３２にクリップ３３を装着する。
図６に示すように、前述の仮係止の状態でクリップ３３を天井内張り位置決め穴１２ｃに嵌め込んで、天井内張り３０を位置決めするとともにランプ取付フランジ１２およびルーフパネル１１に取り付ける。このとき、背面側に突出するランプユニット２０の内蔵物２０ａの突出量が小さくなっているので、ランプユニット２０をランプ取付フランジ１２に設けられているランプ用切欠き１２ｂに収めて天井内張り３０を取り付けても、ランプユニット２０はルーフパネル１１に当接しない。
そして、最後に図７に示すように、仮係止状態にあるランプユニット２０をさらに押込んで、本係止爪２６によりランプユニット２０を天井内張り３０のランプ取付孔３１に本係止する。
【００２８】
以上、前述したランプユニットの取付構造１０Ｂによれば、ランプユニット２０を天井内張り３０に仮係止状態として、天井内張り３０をランプ取付フランジ１２に位置決めするとともに、天井内張り３０をランプ取付フランジ１２およびルーフパネル１１に取り付けるので、ランプユニット１０Ｂおよび天井内張り３０を所定の位置に正確に取り付けることができる。
また、天井内張り３０をルーフパネル１１に取り付ける際に、ランプユニット２０が天井パネル１１と干渉しないので、天井内張り３０の組み付け作業を容易に行うことができる。
【００２９】
なお、本発明のランプユニットの取付構造および取り付け方法は、前述した各実施形態に限定されるものでなく、適宜な変形，改良等が可能である。
例えば、前述した各実施形態において、本係止爪２６と仮係止爪２５を同じ係止アーム２４ａに設けた場合について説明したが、両係止爪２５、２６を別に設けるようにしても良い。このとき、本係止爪２６の個数を仮係止爪２５の個数よりも多くして、本係止を確実に行うようにすることもできる。
また、前述した各実施形態においては、ランプユニット２０としてマップランプの場合について説明したが、この他、例えばルームランプ等にも同様に適用できる。
【図面の簡単な説明】
【００３０】
【図１】本発明のランプユニットの取付構造および取り付け方法に係る第１実施形態であり取り付け前にランプユニットを天井内張りに仮係止した状態を示す断面図である。
【図２】ランプユニットを仮係止した天井内張りをルーフパネルに取り付けた状態を示す断面図である。
【図３】ランプユニットを天井内張りに本係止した状態を示す断面図である。
【図４】ランプユニットの内部を示す斜視図である。
【図５】本発明のランプユニットの取付構造および取り付け方法に係る第２実施形態であり取り付け前にランプユニットを天井内張りに仮係止した状態を示す断面図である。
【図６】ランプユニットを仮係止した天井内張りをルーフパネルに位置決めした状態を示す断面図である。
【図７】ランプユニットを天井内張りに本係止した状態を示す断面図である。
【図８】従来のランプユニットの取付構造を示す断面図である。
【符号の説明】
【００３１】
１０Ａ、１０Ｂ  ランプユニットの取付構造
１１  ルーフパネル
１２  ランプ取付フランジ
１２ａ  ランプ収納空間
１２ｂ  ランプ用切欠き
１２ｃ  天井内張り位置決め穴
２０  ランプユニット
２４ａ  係止アーム
２５  仮係止爪（仮係止部）
２６  本係止爪（本係止部）
３０  天井内張り
３１  ランプ取付孔
３２  位置決め取付穴
３３  クリップ（位置決め取付手段）
【図１】
2005212725.tif 000003
【図２】
2005212725.tif 000004
【図３】
2005212725.tif 000005
【図４】
2005212725.tif 000006
【図５】
2005212725.tif 000007
【図６】
2005212725.tif 000008
【図７】
2005212725.tif 000009
【図８】
2005212725.tif 000010